(57)【要約】【課題】土石及び流木等がスクリーンの取り付け部に直接的に衝突させないようにする。【解決手段】複数の支柱２０と、複数の支柱２０間に架け渡された横材６２と、を備え、河川の上流から流れてくる流水を通すとともに土石及び流木を捕捉する捕捉体２である。横材６２の両端部はそれぞれ、支柱の上流側から下流側に回されて、いずれかの支柱２０の下流側で当該支柱２０に連結されている。【選択図】図８
2020060040.tif 000002
【特許請求の範囲】
【請求項１】
複数の支柱と、
前記複数の支柱間に架け渡された横材と、
を備え、河川の上流から流れてくる流水を通すとともに土石及び流木を捕捉する捕捉体であって、
前記横材の両端部はそれぞれ、支柱の上流側から下流側に回されて、いずれかの支柱の下流側で当該支柱に連結されていることを特徴とする捕捉体。
【請求項２】
前記横材の端部が取り付けられる支柱は、隣接する支柱に面し、その軸心よりも下流側の領域に、前記横材を連結する連結部材を有することを特徴とする請求項１に記載の捕捉体。
【請求項３】
互いに隣接する支柱の軸心同士を結ぶ第１の直線と、前記連結部材が設けられている支柱の軸心と隣接する支柱の下流側の表面とを結ぶ第２の直線とがなす角度をθとした場合、
前記連結部材と前記横材との連結部は、前記第１の直線から前記下流側に形成される２θの角度をなす範囲内にあることを特徴とする請求項２に記載の捕捉体。
【請求項４】
前記横材の端部同士を連結する第２の連結部材を備えることを特徴とする請求項１から３までのいずれか一項に記載の捕捉体。
【請求項５】
前記横材の少なくとも一方の端部と前記支柱との間に設けられ、長さが調整自在な調整部材が設けられていることを特徴とする請求項１から４までのいずれか一項に記載の捕捉体。
【請求項６】
前記支柱は、前記支柱に対する前記横材の位置決めをする位置決め部材を有することを特徴とする請求項１から５までのいずれか一項に記載の捕捉体。
【請求項７】
前記複数の横材に対して交差して架け渡された複数の縦材を備えることを特徴とする請求項１から６までのいずれか一項に記載の捕捉体。
【請求項８】
河川の両岸にそれぞれ設けられた一対の袖部と、
前記一対の袖部の間に設けられた請求項１から７までのいずれか一項に記載の捕捉体と、
を備えることを特徴とする砂防堰堤。
【発明の詳細な説明】
【技術分野】
【０００１】
本発明は、捕捉体及び砂防堰堤に関する。
【背景技術】
【０００２】
河川の土石流対策工として、上流から流れてくる土石及び流木等を捕捉する捕捉体を備えた砂防堰堤が知られている。砂防堰堤は、河川の両岸からそれぞれ突き出た一対の袖部を備える。袖部の間には水を流す開口部が設けられている。
捕捉体は、開口部分に設けられて、土砂や水を通過させつつ土石及び流木等を捕捉する。捕捉体は、支柱及び梁により上流面側が格子状に画定されており、格子状のマス目において土石及び流木等を捕捉する。
砂防堰堤においてスクリーンを捕捉体の上流側に設け、捕捉体の格子状のマス目を細分化する技術が知られている。スクリーンは、砂防堰堤の一対の袖部の間に張り渡されている（例えば、特許文献１参照。）。
【先行技術文献】
【特許文献】
【０００３】
【特許文献１】国際公開第２０１７／１４９５６０号
【発明の概要】
【発明が解決しようとする課題】
【０００４】
ところで、砂防堰堤においてスクリーンが取り付けられる取付け部分に、土石及び流木等が衝突してスクリーンの取り付け部分が破壊された場合、スクリーンが砂防堰堤から外れ、土石及び流木等が捕捉体を通過して下流側に流されていくおそれがある。
したがって、スクリーンの取り付け部分を、砂防堰堤において土石及び流木等が直接的に衝突しないようにすることが望ましい。
【０００５】
そこで、本発明は、上記課題に鑑みてなされたものであり、土石及び流木等がスクリーンの取り付け部に直接的に衝突させないようにした捕捉体及びこの捕捉体を備えた砂防堰堤を提供することを目的とする。
【課題を解決するための手段】
【０００６】
上記課題を解決するために、本発明に係る捕捉体は、複数の支柱と、前記複数の支柱間に架け渡された横材と、を備え、河川の上流から流れてくる流水を通すとともに土石及び流木を捕捉する捕捉体であって、前記横材の両端部はそれぞれ、支柱の上流側から下流側に回されて、いずれかの支柱の下流側で当該支柱に連結されていることを特徴とする。
【０００７】
また、前記横材の端部が取り付けられる支柱は、隣接する支柱に面し、その軸心よりも下流側の領域に、前記横材を連結する連結部材を有していてもよい。
【０００８】
また、互いに隣接する支柱の軸心同士を結ぶ第１の直線と、前記連結部材が設けられている支柱の軸心と隣接する支柱の下流側の表面とを結ぶ第２の直線とがなす角度をθとした場合、前記連結部材と前記横材との連結部は、前記第１の直線から前記下流側に形成される２θの角度をなす範囲内にあってもよい。
【０００９】
また、前記横材の端部同士を連結する第２の連結部材を備えていてもよい。
【００１０】
また、前記横材の少なくとも一方の端部と前記支柱との間に設けられ、長さが調整自在な調整部材が設けられていてもよい。
【００１１】
また、前記支柱は、前記支柱に対する前記横材の位置決めをする位置決め部材を有していてもよい。
【００１２】
また、前記複数の横材に対して交差して架け渡された複数の縦材を備えていてもよい。
【００１３】
さらに、上記課題を解決する本発明に係る砂防堰堤は、河川の両岸にそれぞれ設けられた一対の袖部と、前記一対の袖部の間に設けられた上記の捕捉体とを備えることを特徴とする。
【発明の効果】
【００１４】
本発明により、土石及び流木等がスクリーンの取り付け部に直接的に衝突しないので、支柱に対するスクリーンの取り付け部分を土石及び流木等から保護することができる。
【図面の簡単な説明】
【００１５】
【図１】本実施の形態に係る捕捉体を備えた砂防堰堤の斜視図である。
【図２】本実施の形態に係る捕捉体の側面図である。
【図３】上流側支柱において連結部材が設けられる領域について説明するための図である。
【図４】本実施の形態に係る捕捉体の上流側支柱に取り付けられた連結部材の構成を説明するための図である。
【図５】本実施の形態に係る捕捉体を正面から見た図である。
【図６】位置決め部材の構成を説明するための図である。
【図７】スクリーンのパネルを示す図である。
【図８】スクリーンを捕捉体に取り付けた状態を示す概略図である。
【図９】スクリーンの縦ワイヤが上流側支柱に取り付けられている箇所を示す図である。
【図１０】スクリーンを捕捉体に取り付ける工程を説明するための概略図である。
【図１１】捕捉体に対する横ワイヤの別の連結態様について説明するための図である。
【発明を実施するための形態】
【００１６】
本発明の好ましい実施の形態について、図面を参照しながら説明する。なお、以下に示す実施の形態は一つの例示であり、本発明の範囲において、種々の形態をとりうる。
【００１７】
図１は、本実施の形態に係る捕捉体２を備えた砂防堰堤１００の斜視図である。砂防堰堤１００は、一対の袖部１と、捕捉体２と、を備える。袖部１は、コンクリートにより形成されている。一対の袖部１はそれぞれ、河川の両岸から河川の中央に向かって延びている。一対の袖部１の間には、所定の間隔があけられて開口部分１０が形成されている。
開口部分１０の底部には、コンクリートにより形成された基礎部１１が形成されている。基礎部１１は、河床に形成されている。河川の水、上流から流れてきた砂、小礫等は、開口部分１０を通流していく。
【００１８】
捕捉体２は、一対の袖部１の間の開口部分１０において基礎部１１上に設置されている。捕捉体２は、支柱２０と、梁４０と、スクリーン６０と、を備える。
支柱２０は、円形の鋼管により形成されている。５本の支柱２０が、砂防堰堤１００の延在方向に沿って所定の間隔をあけて基礎部１１に立設されている。
本実施の形態において、支柱２０の数は５本であったが、支柱の数は、特に限定されず、設置される捕捉体２の規模に応じて適宜変更することができる。
【００１９】
図２は、本実施の形態に係る捕捉体２の側面図である。支柱２０は、上流側に立設された上流側支柱２１と、下流側に立設された２つの下流側支柱２２，２３とを有する。上流側支柱２１及び下流側支柱２２，２３は互いに連結されている。
なお、支柱２０には、上流側支柱２１のみからなる支柱、並びに上流側支柱２１及び下流側支柱２２，２３からなる支柱の両方が含まれる。
【００２０】
上流側支柱２１は、上流側から下流側へ向かって斜めに延在している。
２つの下流側支柱２２，２３は、互いに長さが異なる。下流側支柱２２は、下流側支柱２３に対して短い。両方の下流側支柱２２，２３は、下流側から上流側に向かって斜めに延在している。下流側支柱２２は、上流側支柱２１の中間部に連結されている。下流側支柱２３は、上流側支柱２１の上端部付近に連結されている。
下流側支柱２２，２３は、両端の上流側支柱２１及び真ん中の上流側支柱２１に連結されている。下流側支柱２２，２３は、全ての上流側支柱２１に連結されていてもよい。
下流側支柱２２は、下流側支柱２３に対して上流側に位置する。２つの下流側支柱２２，２３は、連結梁部３０により連結されている。連結梁部３０は、河川の通流方向に延在している。
【００２１】
図３は、上流側支柱２１において連結部材（第１の連結部材）２４が設けられる領域２５について説明するための図である。図４は、本実施の形態に係る捕捉体２の上流側支柱２１に取り付けられた連結部材２４の構成を説明するための図である。
５本の上流側支柱２１のうち、真ん中の上流側支柱２１には連結部材２４が設けられている。スクリーン６０の横ワイヤ（横材）６２は、両端部において、連結部材２４を介して上流側支柱２１に連結されている。連結部材２４は、この連結部材２４が設けられている上流側支柱２１の表面のうち、隣接する上流側支柱２１に面し、その軸心ｘよりも下流側の領域２５に設けられている。
【００２２】
本実施の形態においては、スクリーン６０の横ワイヤ６２は、真ん中の上流側支柱２１に連結されているが、真ん中以外の上流側支柱２１に連結されていてもよい。また、スクリーン６０の横ワイヤ６２の各端部分が、それぞれ異なる上流側支柱２１に連結されるようになっていてもよい。この場合、領域２５は、２本の上流側支柱２１にそれぞれ設定されて、各領域２５に連結部材２４が設けられている。
【００２３】
「領域２５」は、仮想線（第１の直線）ｖと接線（第２の直線）ｔとがなす角度をθとした場合に、上流側支柱２１の表面において仮想線ｖから下流側に形成される２θの角度をなす範囲内にある。
仮想線ｖは、捕捉体２を上流側支柱２１において平面視した場合の上流側支柱２１の軸心ｘ同士を結ぶ直線である。接線ｔは、連結部材２４が設けられている上流側支柱２１の軸心ｘから隣接する上流側支柱２１に向かって下流側に延びて、隣接する上流側支柱２１の表面に接する直線である。
【００２４】
連結部材２４において横ワイヤ６２の両端部が連結されている。連結部材２４は、一対のブラケット２６と、ピンボルト２７と、弾性体２８と、を有する。一対のブラケット２６は、鋼板により形成されている。ブラケット２６は、略半長円形状を有する。ブラケット２６は、高さ方向において互いに所定の間隔をあけて上流側支柱２１の領域２５に溶接されている。一対のブラケット２６の間に横ワイヤ６２の端部が挿入されて連結されている。
【００２５】
ブラケット２６は、その中心線ｍが接線ｔと一致するように領域２５に設けられている。なお、ブラケット２６は、その中心線ｍが領域２５内にあり、かつ後述する連結部Ｂが２θの範囲内にあればいずれの場所に設けられていてもよい。
【００２６】
ピンボルト２７の両端部にはねじ山が形成されている。ピンボルト２７のねじ山は、一対のブラケット２６の貫通孔（図示せず。）に挿通された状態において、両方のブラケット２６の外側に露出している。ブラケット２６から露出したピンボルト２７の両端部に形成されたねじ山にはナットＮが締結されている。
【００２７】
弾性体２８は、弾性変形が可能な樹脂やゴム素材により形成されている。ピンボルト２７が貫通するように弾性体２８は円筒状に形成されている。つまり、弾性体２８は、ピンボルト２７の周囲を取り囲んでいる。これにより、横ワイヤ６２が直接的にピンボルト２７に接触することが防がれる。
【００２８】
横ワイヤ６２は、ピンボルト２７及び弾性体２８を介して連結部材２４に連結されている。ピンボルト２７及び弾性体２８が連結部材２４における横ワイヤ６２との連結部Ｂとなる。連結部Ｂは、２θの角度をなす範囲内にある。
【００２９】
連結部材２４においてブラケット２６の中心線ｍが領域２５内にあり、連結部Ｂが２θの角度をなす範囲内にある限りは、横ワイヤ６２からブラケット２６に伝わる力は、曲げの力よりも引張の力のほうが大きくなっている。つまり、領域２５及び２θの角度の範囲内において、横ワイヤ６２から連結部材２４の連結部Ｂに伝達される力は、曲げの力よりも引張の力のほうが大きくなっている。
これにより、スクリーン６０の横ワイヤ６２に負荷がかかった場合、横ワイヤ６２を介して連結部材２４のブラケット２６には引張の力が優先的に伝達されるようになる。つまり、ブラケット２６を曲げようとする曲げの力が抑制されている。なお、曲げの力とは、ブラケット２６の溶接部位ｗにかかるモーメントのことである。
【００３０】
図５は、本実施の形態に係る捕捉体２を正面（上流側）から見た図である。図６は、位置決め部材２９の構成を説明するための図である。
上流側支柱２１の上流側に面する面には位置決め部材２９が設けられている。位置決め部材２９は、捕捉体２の高さ方向においてスクリーン６０の最上位の横ワイヤ６２が延在する位置と、最下位の横ワイヤ６２が延在する位置との間にわたって互いに所定の間隔をあけて設けられている。つまり、複数の位置決め部材２９が横ワイヤ６２の延在する位置に設けられている。位置決め部材２９は、横ワイヤ６２が高さ方向において上側及び下側にずれることを防ぐ。
なお、位置決め部材２９は、本実施の形態のように上流側支柱２１において横ワイヤ６２が延在する全ての位置に設けられている必要はなく、位置決め部材２９の設置個数は、適宜選択することができる。
【００３１】
位置決め部材２９は、上流側支柱２１に溶接されている。位置決め部材２９は、一対の突出板２９ａと、ピンボルト２９ｂと、を有する。
一対の突出板２９ａは、高さ方向において所定の間隔をあけて上流側支柱２１の表面から上流側に突出している。一対の突出板２９ａの上流側支柱２１とは反対側の先端側には貫通孔（図示せず。）が形成されている。それぞれの貫通孔にピンボルト２９ｂが挿通されている。ピンボルト２９ｂの両端部にはナット２９ｃが締結されている。
横ワイヤ６２は、一対の突出板２９ａの間でピンボルト２９ｂと上流側支柱２１との間を通されている。これにより、位置決め部材２９から上流側に横ワイヤ６２が抜け落ちることは防がれている。
【００３２】
図２に戻って、上流側支柱２１の下流側に面する面には、複数の位置決め部材３１が設けられている。位置決め部材３１は、捕捉体２の高さ方向においてスクリーン６０の横ワイヤ６２が延在する所定の位置に設けられている。位置決め部材３１の具体的な構成及び機能は、位置決め部材２９と同じであるので説明は省略する。
なお、位置決め部材３１は、捕捉体２の高さ方向においてスクリーン６０の横ワイヤ６２が延在する全ての位置に設けられていてもよい。
【００３３】
下流側支柱２２の下流側に面する面には位置決め部材３２が設けられている。位置決め部材３２は、捕捉体２の高さ方向においてスクリーン６０の横ワイヤ６２が延在する位置に設けられている。位置決め部材３２の具体的な構成及び機能は、位置決め部材２９と同じであるので説明は省略するが、位置決め部材３２は、特に横ワイヤ６２が高さ方向において上側にせり上がる（ずれる）ことを防ぐ。
【００３４】
下流側支柱２３の下流側に面する面には位置決め部材３３が設けられている。位置決め部材３３は、捕捉体２の高さ方向においてスクリーン６０の横ワイヤ６２が延在する位置に設けられている。位置決め部材３３の具体的な構成及び機能は、位置決め部材２９と同じであるので説明は省略するが、位置決め部材３３は、特に横ワイヤ６２が高さ方向において上側にせり上がる（ずれる）ことを防ぐ。
【００３５】
図１及び図２に戻って、梁４０は、鋼管により形成されている。梁４０は、複数の上流側支柱２１のうち両端位置に設けられた２本の上流側支柱２１間にわたって延在している。梁４０は、捕捉体２の高さ方向において、所定の間隔をあけて上流側支柱２１の上端部、上流側支柱２１と下流側支柱２３との連結部付近、上流側支柱２１と下流側支柱２２との連結部付近及び下端部付近に設けられている。
【００３６】
図７（ａ）、（ｂ）は、スクリーン６０のパネル６１，６６を示す図である。図８は、スクリーン６０を支柱２０に取り付けた状態を示す図である。
スクリーン６０は、２つのパネル６１，６６を有する。スクリーン６０は、捕捉体２の上流側面に取り付けられている。捕捉体２の高さ方向において、パネル６１は、パネル６６に対して上側に設けられている（図５参照。）。
パネル６１は、横ワイヤ（横材）６２と、縦ワイヤ（縦材）６３とを有する。横ワイヤ６２及び縦ワイヤ６３は、格子状に交差して互いに編み込まれている。パネル６１は、複数の横ワイヤ６２に１本の縦ワイヤ６３を編み込むことにより、格子状に形成されており、ワイヤモッコとも称呼される。
【００３７】
複数の横ワイヤ６２が複数の上流側支柱２１間で、高さ方向に沿って所定の間隔をあけて架け渡されている。横ワイヤ６２の両端部には環となる環状部分６２ａが形成されている。横ワイヤ６２の両端部分には縦ワイヤ６３が編み込まれていない。横ワイヤ６２の両端部分は、捕捉体２の両端に位置する支柱２０の上流側から下流側に回されている。横ワイヤ６２の両端部分は、環状部分６２ａにおいて連結部材２４が設けられた真ん中の上流側支柱２１の下流側で当該真ん中の上流側支柱２１に連結されている。
【００３８】
横ワイヤ６２の端部分の長さは、横ワイヤ６２が下流側支柱２２，２３に回されるか否かに応じて異なっている。スクリーン６０を捕捉体２に取り付ける際、下流側支柱２２，２３に対して交差して延在する横ワイヤ６２の両端部は、上流側支柱２１だけに対して交差して延在する横ワイヤ６２の両端部分よりも長く形成されている。
【００３９】
横ワイヤ６２の両端部に設けられた環状部分６２ａは、互いに鋼製の連結ワイヤ（第２の連結部材）６４により連結されている。連結ワイヤ６４は、横ワイヤ６２と連結部材２４との連結が、例えば、連結部材２４の連結部Ｂの破壊により意図せず解除されてしまった場合に、横ワイヤ６２が捕捉体２から外れることを防止する。
連結ワイヤ６４は、両端に環状部分６４ａを有している。図８において、横ワイヤ６２と連結ワイヤ６４とは、それぞれの環状部分６２ａ，６４ａにおいて直接的に連結された状態において描かれているが、シャックル等の連結器具により互いに連結されている。
【００４０】
図９（ａ）は、スクリーン６０の縦ワイヤ６３が上流側支柱２１に取り付けられている箇所を拡大して示す図である。図９（ｂ）は、図９（ａ）におけるＡ−Ａ方向から見た図である。
スクリーン６０が捕捉体２に取り付けられた状態において、上流側支柱２１に沿って延在する縦ワイヤ６３は、Ｕボルト６５により上流側支柱２１に対して複数箇所で押さえつけられている。縦ワイヤ６３の捕捉体２の幅方向（左右方向）におけるずれを防ぐことにより、パネル６１全体の幅方向におけるずれを防ぐことができる。
【００４１】
なお、パネル６１において、横ワイヤ６２と縦ワイヤ６３とは、互いに編み込まれていたが、横ワイヤ６２に対して縦ワイヤ６３を交差させて架け渡すようにしてもよい。また、パネル６１は、上流側支柱２１と梁４０とにより画定された空間を所望の大きさの空間に細分化することができれば、複数の横ワイヤ６２を上流側支柱２１に架け渡すだけでよく、縦ワイヤ６３を有していなくてもよい。
【００４２】
パネル６６の構成は、パネル６１の構成と同じであるため説明は省く。パネル６１，６６は、互いに連結されている。パネル６１における最下位の横ワイヤ６２と、パネル６６における最上位の横ワイヤとは、所定の連結器具（図示せず。）により互いに連結されていることが望ましい。なお、スクリーン６０は、１つのパネルにより形成されていてもよい。
【００４３】
図１０は、スクリーン６０を捕捉体２に取り付ける工程を説明するための概略図である。パネル６１の最上位の横ワイヤ６２を上流側支柱２１において、位置決め部材２９に取り付ける。まず、横ワイヤ６２を位置決め部材２９の突出板２９ａの間に設置し、ピンボルト２９ｂを突出板２９ａに挿通して、ナット２９ｃをピンボルト２９ｂに締結する。この状態において、横ワイヤ６２は、ピンボルト２９ｂと上流側支柱２１との間に位置している。これにより、高さ方向におけるパネル６１の位置決めを簡単に行うことができる。
【００４４】
次いで、横ワイヤ６２の両端部分を、捕捉体２の両端の上流側支柱２１において上流側から下流側に回して、連結部材２４が設けられている真ん中の上流側支柱２１に向かって引っ張っていく。この場合、位置決め部材３１がある場合には、横ワイヤ６２を当該位置決め部材３１に設置していく。
【００４５】
一対のブラケット２６の間に横ワイヤ６２の環状部分６２ａを挿入する前に、環状部分６２ａの内側に弾性体２８を入れる。横ワイヤ６２の環状部分６２ａを、弾性体２８と共に一対のブラケット２６の間に挿入する。一方のブラケット２６の貫通孔からピンボルト２７を通し、弾性体２８を貫通させて、他方のブラケット２６の貫通孔からピンボルト２７の一端を出す。
次いで、ピンボルト２７の両端部に形成されたねじ山にナットＮを締結する。これにより、横ワイヤ６２は、連結部材２４を介して上流側支柱２１に連結される。
【００４６】
横ワイヤ６２の両端部を上流側支柱２１に連結した後、横ワイヤ６２と連結ワイヤ６４とを、それぞれの環状部分６２ａ，６４ａにおいてシャックルを介して連結する。これにより、横ワイヤ６２は、連結ワイヤ６４を介して両端部同士が連結される。
この作業を、全ての横ワイヤ６２に実施する。
【００４７】
次に、上流側支柱２１に沿って延在する縦ワイヤ６３を、Ｕボルト６５を介して高さ方向において任意の位置で上流側支柱２１に固定する。なお、縦ワイヤ６３は、全ての上流側支柱２１に対して固定する必要はなく、固定する縦ワイヤ６３は、適宜、選択される。
【００４８】
パネル６１において実施した作業を、捕捉体２へのパネル６６の取り付けに際しても行う。捕捉体２へのパネル６６の取り付け後、パネル６１の最下位の横ワイヤ６２と、パネル６６の最上位の横ワイヤとを所定の連結器具を介して連結する。これにより、捕捉体２へのスクリーン６０の取付けが完了する。
【００４９】
以上のような捕捉体２によれば、スクリーン６０を構成する横ワイヤ６２は、捕捉体２の上流側支柱２１に下流側面で連結されている。つまり、上流側支柱２１に対する横ワイヤ６２の取り付け部分は、上流側面において上流側支柱２１間に架け渡されている横ワイヤ６２に対して下流側にある。これにより、例えば、土石流の発生時に流されてくる土石及び流木等による、横ワイヤ６２の取り付け部分への直接的な衝突を回避することができる。
また、スクリーン６０の横ワイヤ６２を、スクリーン６０を有していない既設の捕捉体に取り付けることも可能であり、横ワイヤ６２の後付け作業も比較的容易に行うことができる。例えば、当初想定していた礫径よりも実際の礫径が小さく、想定の礫径と実際の礫径との間にずれが生じた場合には、横ワイヤ６２の設置間隔を小さく調節すればよい。また、実際の礫径が想定した礫径よりも大きい場合には、横ワイヤ６２の設置間隔を大きく調節することもできる。捕捉体２においては、スクリーン６０を実際の礫径に簡単に対応させることができる。
【００５０】
さらに、捕捉体２に対するスクリーン６０の取り付け作業は容易であると共に、例えば、土石流発生後に捕捉体２おいて捕捉された土石及び流木等の除去作業時のスクリーン６０の解除作業も、連結部Ｂが下流側に位置するので、横ワイヤ６２と連結部材２４との連結を下流側から容易に解除することができる。
【００５１】
また、土石及び流木等がスクリーン６０に衝突した場合、その衝撃は、横ワイヤ６２の両端部にまで伝達される。横ワイヤ６２の両端部は、上流側支柱２１の領域２５に設けられた連結部材２４における連結部Ｂを介して上流側支柱２１に連結されているので、引張の力が連結部Ｂを介してブラケット２６に伝達される。これにより、上流側支柱２１のブラケット２６の溶接部位ｗには、曲げの力よりも引張の力が優先的にかかるので、ブラケット２６への負荷を軽減することができる。
【００５２】
また、スクリーン６０は、横ワイヤ６２に加えて縦ワイヤ６３を有しているので、捕捉体２において上流側支柱２１と梁４０とにより画定された空間を細分化して、より小さな土石及び流木等を捕捉することができる。
【００５３】
また、スクリーン６０において、横ワイヤ６２は、位置決め部材２９に取り付けられているので、高さ方向における上側へのスクリーン６０のずれを防止することができる。
【００５４】
＜その他＞
なお、本発明は、上記実施の形態に限られるものではなく、本発明の範囲を超えない範囲で適宜変更が可能である。上記実施の形態においては、横ワイヤ６２と連結部材２４とは、互いに直接的に連結されていたが、間接的に連結することもできる。
【００５５】
図１１は、捕捉体２に対する横ワイヤ６２の別の連結態様について説明するための図である。スクリーン６０のうち横ワイヤ６２は、土石及び流木等の衝撃吸収の観点から上流側支柱２１に対して過度にテンションが掛けられた状態において連結されていることは望ましくない。
【００５６】
そこで、横ワイヤ６２の一方の環状部分６２ａと、上流側支柱２１における連結部材２４との間に、長さが調整自在な調整部材７が設けられている。調整部材７は、横ワイヤ６２の一方の環状部分６２ａを上流側支柱２１における連結部材２４に連結する。
【００５７】
調整部材７は、その軸線方向における長さを可変に調節することができる、例えば、ターンバックルのように形成されている。調整部材７は、２つの連結体７１，７２と、中間体７３と、を有する。連結体７１は、連結部材２４に連結されている。連結体７２は、横ワイヤ６２の環状部分６２ａに連結されている。
連結体７１，７２は、中間体７３に螺合により連結されている。連結体７１，７２及び中間体７３を相対的に回転させることにより、調整部材７の長さの伸縮が調整される。
【００５８】
連結体７１は、螺合部位と、連結部位とを有する。連結体７１は、螺合部位において中間体７３に螺合されている。連結体７１の連結部位は、平板状に形成されていて、連結部材２４の一対のブラケット２６間に挿入されている。連結部位は、中央に貫通孔が形成されており、貫通孔にピンボルト２７が挿通されている。ピンボルト２７の両端部にはナットＮが締結されている。これにより、連結体７１は、連結部材２４に連結されている。
【００５９】
連結体７２は、螺合部位と、連結部位とを有する。連結体７２は、螺合部位において中間体７３に螺合されている。連結部位は、環状に形成されていて、横ワイヤ６２の一端の環状部分６２ａと、例えば、シャックルを介して連結されている。
【００６０】
調整部材７により、上流側支柱２１に対する横ワイヤ６２の張りの程度（テンション）を調整しながら、捕捉体２へスクリーン６０を取り付けることができる。
この実施の形態においては、横ワイヤ６２は、一方の環状部分６２ａにおいて調整部材７を介して連結部材２４の連結部Ｂに連結されているが、横ワイヤ６２の両方の環状部分６２ａが、調整部材７を介して連結部材２４に連結されていてもよい。
【符号の説明】
【００６１】
１００  砂防堰堤
１  袖部
２  捕捉体
２０  支柱
２１  上流側支柱
２２，２３  下流側支柱
２４  連結部材（第１の連結部材）
２５  領域
２９  位置決め部材
６０  スクリーン
６２  横ワイヤ（横材）
６３  縦ワイヤ（縦材）
６４  連結ワイヤ（第２の連結部材）
７  調整部材
Ｂ  連結部
ｖ  仮想線（第１の直線）
ｔ  接線（第２の直線）
ｘ  軸心
θ  角度
【図１】
2020060040.tif 000003
【図２】
2020060040.tif 000004
【図３】
2020060040.tif 000005
【図４】
2020060040.tif 000006
【図５】
2020060040.tif 000007
【図６】
2020060040.tif 000008
【図７】
2020060040.tif 000009
【図８】
2020060040.tif 000010
【図９】
2020060040.tif 000011
【図１０】
2020060040.tif 000012
【図１１】
2020060040.tif 000013